(57)【要約】【課題】簡単な構成でインペラの吸込口部とファンケーススペーサのベローズ部との気密性を保持することができ、高い吸い込み性能を維持できる電気掃除機の提供。【解決手段】インペラ、電動機、ファンケース、及びファンケーススペーサを有する電動送風機と、ファンケーススペーサに対向して配置されたササエイタと、を備え、ファンケーススペーサには、ファンケーススペーサからササエイタ側へ向かって延びる第１の環状リブが設けられており、ササエイタには、ササエイタからファンケーススペーサ側へ向かって延びる第２の環状リブが設けられており、第１の環状リブ及び第２の環状リブは、第１の環状リブ及び第２の環状リブの半径方向において、互いに接触しており、かつ、第１の環状リブ及び第２の環状リブの中心軸方向において、それぞれが対向するササエイタ及びファンケーススペーサに対して非接触である電気掃除機。【選択図】図１
2012019914.tif 000002
【特許請求の範囲】
【請求項１】
吸引風を発生させるインペラと、前記インペラを回転駆動させる電動機と、前記インペラを内包し、中央部に吸込口を有するファンケースと、前記吸込口に設けられており、少なくとも一部が前記インペラに当接する環状のファンケーススペーサと、を有する電動送風機と、
前記ファンケーススペーサの上流側に前記ファンケーススペーサに対向して配置されており、前記ファンケーススペーサと嵌合するササエイタと、
を備え、
前記ファンケーススペーサには、前記ファンケーススペーサから前記ササエイタ側へ向かって延びる第１の環状リブが設けられており、
前記ササエイタには、前記ササエイタから前記ファンケーススペーサ側へ向かって延びる第２の環状リブが設けられており、
前記第１の環状リブ及び前記第２の環状リブは、前記第１の環状リブ及び前記第２の環状リブの半径方向において、互いに接触しており、かつ、前記第１の環状リブ及び前記第２の環状リブの中心軸方向において、それぞれが対向する前記ササエイタ及び前記ファンケーススペーサに対して非接触である
電気掃除機。
【請求項２】
前記ササエイタには、前記ササエイタから前記ファンケース側へ向かって延びるとともに、前記ファンケースに当接する第３の環状リブが設けられている請求項１に記載の電気掃除機。
【請求項３】
前記第１の環状リブと前記第２の環状リブとの当接面には、グリス等の潤滑性材料が塗布されている請求項１または２に記載の電気掃除機。
【請求項４】
前記ササエイタ側の前記第２の環状リブの端部には、曲面部が設けられている請求項１〜３のうちの何れか１項に記載の電気掃除機。
【請求項５】
前記第１の環状リブは、前記ササエイタ側の前記第１の環状リブの端部が前記曲面部よりも下流側に位置するように構成されている請求項４に記載の電気掃除機。
【請求項６】
前記第１の環状リブ及び前記第２の環状リブは複数個設けられており、前記複数の第１の環状リブ及び前記複数の第２の環状リブによりラビリンス構造が形成されている請求項１〜５のうちの何れか１項に記載の電気掃除機。
【発明の詳細な説明】
【技術分野】
【０００１】
本発明は、電気掃除機に関する。
【背景技術】
【０００２】
従来、この種の電気掃除機においては、電動送風機の吸い込み効率を向上させるべく、電動送風機の吸込口に樹脂で形成されたファンケーススペーサを設け、このファンケーススペーサの一部をインペラに接触させるとともに、電動送風機により吸込まれた気流が電動送風機内部へスムーズに導かれるような形状に形成されたササエイタをファンケーススペーサの上流側にファンケーススペーサに対向して配置させた構成を有する電気掃除機が提案されている（例えば、特許文献１参照）。
【０００３】
このような従来の電気掃除機としては、例えば、図４及び図５に示す構成を有する電気掃除機が提案されている。
【０００４】
図４及び図５に示すように、掃除機本体１２は、主として、吸引風を発生させる電動送風機１を有する電動送風機室２１と、電動送風機室の上流側に配置されており、吸引風によって吸込まれた塵埃を捕集するフィルター１４を内蔵する集塵室１５とから構成されている。
【０００５】
図４に示すように、電動送風機室２１には、電動送風機１と、電動送風機１の上流側に配置されたササエイタ１３と、電動送風機１及びササエイタ１３の外周に設けられたサポートゴム１１とが内蔵されており、電動送風機１及びササエイタ１３は、サポートゴム１１により掃除機本体１２に固定されている。
【０００６】
電動送風機１は、電動機２と、電動機２の回転軸３に取付けらており、中央部に吸込口部４ａを有する金属製のインペラ４と、インペラ４を内包するファンケース６とから構成されている。ファンケース６の中央部には吸込口（図示せず）が設けられており、この吸込口には、吸込口側から電動送風機１内部に向かって延びるベローズ部７を有する樹脂で形成されたファンケーススペーサ８が設けられている。また、ファンケーススペーサ８は、ベローズ部７がインペラ４の吸込口部４ａと接触するように配置されている。
【０００７】
ササエイタ１３は、ファンケーススペーサ８の上流側にファンケーススペーサ８に対向して配置されており、ササエイタ１３の中央部１３ａとファンケーススペーサ８とを当接させて配置している。
【０００８】
以上の構成における動作について説明すると、電動機２に電源が供給されると、インペラ４が電動機２により高速で回転駆動され、空気が吸込まれ、吸引風が発生する。この吸引風は、ササエイタ１３を経由してインペラ４の内部へと導かれ、その後、インペラ４の内部を通過し、インペラ４の外周から排出される。
【０００９】
この時、金属製のインペラ４の吸込口部４ａとファンケーススペーサ８のベローズ部７とが接触しているため、ベローズ部７がインペラ４により削られ、接触摺動することにより、金属製のインペラ４の吸込口部４ａとファンケーススペーサ８のベローズ部７との気密性が保持されている。
【先行技術文献】
【特許文献】
【００１０】
【特許文献１】特開２００７−６１２３１号公報
【発明の概要】
【発明が解決しようとする課題】
【００１１】
しかしながら、上記従来の電気掃除機においては、電動送風機の吸い込み性能を向上させるという観点からは未だ改善の余地があった。
【００１２】
すなわち、上記従来の電気掃除機においては、電動送風機の吸い込み力が上昇したり、フィルターに塵埃が溜まったりした場合、掃除機本体の集塵室内の真空圧が高くなり、ササエイタに電動送風機方向の力がかかる。ファンケーススペーサは、ササエイタの中央部と直接当接しているため、ササエイタに電動送風機方向の力がかかると、ファンケーススペーサにも電動送風機方向の力がかかり、ベローズ部が電動送風機内部へと必要以上に押し込まれる。このため、ベローズ部がインペラにより必要以上に削られてしまい、インペラの吸込口部とファンケーススペーサのベローズ部との間に隙間が生じ、インペラの吸込口部とファンケーススペーサのベローズ部との気密性が保持できなくなり、電動送風機の吸い込み力を低下させてしまう場合があった。
【００１３】
また、ファンケースと当接させて位置決めし固定させるような環状のリブをササエイタに設けた場合は、ササエイタの中央部とファンケーススペーサとの間に隙間が生じてしまい、この隙間から空気が漏れ、電動送風機の吸い込み力が低下する場合があった。このため、ササエイタの中央部とファンケーススペーサとの間の隙間に、弾性体からなるシール部材などを設ける方法が考えられるが、この方法では、部品点数や組立工数が増加したり、コストが高くなったりする場合があった。
【００１４】
本発明は、上記従来技術の有する課題に鑑みてなされたものであり、簡単な構成でインペラの吸込口部とファンケーススペーサのベローズ部との気密性を保持することができ、高い吸い込み性能を維持できる電気掃除機を提供することを目的とする。
【課題を解決するための手段】
【００１５】
上記従来技術の有する課題を解決するために、本発明は、吸引風を発生させるインペラと、インペラを回転駆動させる電動機と、インペラを内包し、中央部に吸込口を有するファンケースと、吸込口に設けられており、少なくとも一部がインペラに当接する環状のファンケーススペーサと、を有する電動送風機と、ファンケーススペーサの上流側にファンケーススペーサに対向して配置されており、ファンケーススペーサと嵌合するササエイタと、を備え、ファンケーススペーサには、ファンケーススペーサからササエイタ側へ向かって延びる第１の環状リブが設けられており、ササエイタには、ササエイタからファンケーススペーサ側へ向かって延びる第２の環状リブが設けられており、第１の環状リブ及び第２の環状リブは、第１の環状リブ及び第２の環状リブの半径方向において、互いに接触しており、かつ、第１の環状リブ及び第２の環状リブの中心軸方向において、それぞれが対向するササエイタ及びファンケーススペーサに対して非接触である電気掃除機を提供する。
【００１６】
これにより、電動送風機の吸い込み力が上昇したり、集塵部に塵埃が溜まったりし、その結果、掃除機本体の集塵室内の真空圧が高くなり、ササエイタに電動送風機方向の力がかかった場合であっても、ファンケーススペーサには電動送風機方向の力がかからないため、簡単な構成でインペラの吸込口部とファンケーススペーサのベローズ部との気密性を保持することができ、高い吸い込み性能を維持できる電気掃除機を提供することができる。
【発明の効果】
【００１７】
本発明の電気掃除機によれば、簡単な構成でインペラの吸込口部とファンケーススペーサのベローズ部との気密性を保持することができ、高い吸い込み性能を維持できる電気掃除機を提供することができる。
【図面の簡単な説明】
【００１８】
【図１】本発明の電気掃除機の実施の形態１における掃除機本体の部分断面図
【図２】本発明の電気掃除機の実施の形態２における掃除機本体の部分断面図
【図３】本発明の電気掃除機の実施の形態３における掃除機本体の部分断面図
【図４】従来の電気掃除機における掃除機本体の部分断面図
【図５】従来の電気掃除機における掃除機本体の全体断面図
【発明を実施するための形態】
【００１９】
第１の発明は、吸引風を発生させるインペラと、インペラを回転駆動させる電動機と、インペラを内包し、中央部に吸込口を有するファンケースと、吸込口に設けられており、少なくとも一部がインペラに当接する環状のファンケーススペーサと、を有する電動送風機と、ファンケーススペーサの上流側にファンケーススペーサに対向して配置されており、ファンケーススペーサと嵌合するササエイタと、を備え、ファンケーススペーサには、ファンケーススペーサからササエイタ側へ向かって延びる第１の環状リブが設けられており、ササエイタには、ササエイタからファンケーススペーサ側へ向かって延びる第２の環状リブが設けられており、第１の環状リブ及び第２の環状リブは、第１の環状リブ及び第２の環状リブの半径方向において、互いに接触しており、かつ、第１の環状リブ及び第２の環状リブの中心軸方向において、それぞれが対向するササエイタ及びファンケーススペーサに対して非接触である電気掃除機としたものである。
【００２０】
これにより、電動送風機の吸い込み力が上昇したり、集塵部に塵埃が溜まったりし、その結果、掃除機本体の集塵室内の真空圧が高くなり、ササエイタに電動送風機方向の力がかかった場合であっても、ファンケーススペーサには電動送風機方向の力がかからないため、簡単な構成でインペラの吸込口部とファンケーススペーサのベローズ部との気密性を保持することができ、高い吸い込み性能を維持できる電気掃除機を提供することができる。
【００２１】
第２の発明は、特に第１の発明において、ササエイタには、ササエイタからファンケース側へ向かって延びるとともに、ファンケースに当接する第３の環状リブが設けられているものである。
【００２２】
これにより、掃除機本体の集塵室内の真空圧が高くなり、ササエイタに電動送風機方向の力がかかった場合であっても、ササエイタにかかる電動送風機方向の力を第３の環状リブにより吸収することができるため、ファンケーススペーサには電動送風機方向の力がかからず、簡単な構成でインペラの吸込口部とファンケーススペーサのベローズ部との気密性をさらに保持することができとともに、高い吸い込み性能を維持できる電気掃除機を提供することができる。
【００２３】
第３の発明は、特に第１または第２の発明において、第１の環状リブと第２の環状リブとの当接面には、グリス等の潤滑性材料が塗布されているものである。
【００２４】
これにより、第１の環状リブと第２の環状リブとの摺動性をさらに向上させることができるとともに、インペラの吸込口部とファンケーススペーサのベローズ部との気密性をさらに向上させることができる。
【００２５】
第４の発明は、特に第１〜第３の発明において、ササエイタ側の第２の環状リブの端部
には、曲面部が設けられているものである。
【００２６】
これにより、電動送風機内に導かれる空気の流れをスムーズにすることができ、電動送風機の吸い込み性能を向上させることができる。
【００２７】
第５の発明は、特に第４の発明において、第１の環状リブは、ササエイタ側の第１の環状リブの端部が曲面部よりも下流側に位置するように構成されているものである。
【００２８】
これにより、第１の環状リブにより電動送風機内に導かれる空気の流れが阻害されることを十分に防止することができ、電動送風機の吸い込み性能をさらに向上させることができる。
【００２９】
第６の発明は、特に第１〜第５の発明において、第１の環状リブ及び第２の環状リブは複数個設けられており、複数の第１の環状リブ及び複数の第２の環状リブによりラビリンス構造が形成されているものである。
【００３０】
これにより、ファンケーススペーサとササエイタとの間の気密性を向上させることができ、電動送風機の吸い込み性能をさらに向上させることができる。
【００３１】
以下、図面を参照しながら本発明の電気掃除機の好適な実施形態について詳細に説明する。なお、以下の説明では、同一または相当部分には同一符号付し、重複する説明は省略する。また、従来と同一構成の部品については同一符号を付し説明する。
【００３２】
（実施の形態１）
本発明の実施の形態１について、図１を用いて説明する。
【００３３】
図１は、本発明の電気掃除機の実施の形態１における掃除機本体の部分断面図である。
【００３４】
図１に示すように、掃除機本体１２は、主として、吸引風を発生させる電動送風機１を有する電動送風機室２１と、電動送風機室の上流側に配置されており、吸引風によって吸込まれた塵埃を捕集するフィルター１４を内蔵する集塵室１５とから構成されている。
【００３５】
図１に示すように、電動送風機室２１には、電動送風機１と、電動送風機１の上流側に配置されたササエイタ１３と、電動送風機１及びササエイタ１３の外周に設けられたサポートゴム１１とが内蔵されており、電動送風機１及びササエイタ１３は、サポートゴム１１により掃除機本体１２に固定されている。
【００３６】
電動送風機１は、電動機２と、電動機２の回転軸３に取付けらており、中央部に吸込口部４ａを有する金属製のインペラ４と、インペラ４の外周に対向して配置されたエアガイド５と、インペラ４及びエアガイド５を内包するとともに、電動機２の外周に設けられた反負荷側ブラケット９に気密に取付けられたファンケース６とから構成されている。また、電動機２を構成する反負荷側ブラケット９には、インペラ４で吸引された空気を排気する排気開口部１０が設けられている。
【００３７】
ファンケース６の中央部には吸込口（図示せず）が設けられており、この吸込口には、吸込口側から電動送風機１内部に向かって延びるベローズ部７を有する樹脂で形成されたファンケーススペーサ８が設けられている。また、ファンケーススペーサ８は、ベローズ部７がインペラ４の吸込口部４ａと接触するように配置されている。さらに、ファンケーススペーサ８には、ファンケーススペーサ８から後述するササエイタ１３側へ向かって延びる第１の環状リブである環状リブＡ１７が設けられている。
【００３８】
ササエイタ１３は、インペラ４が電動機２により回転駆動され空気が吸引されることで発生する吸引風が、電動送風機１内部へとスムーズに導かれるような形状に形成されている。また、ササエイタ１３は、ファンケーススペーサ８の上流側（集塵室１５側）にファンケーススペーサ８に対向して配置されている。さらに、ササエイタ１３には、ササエイタ１３からファンケーススペーサ８側へ向かって延びる第２の環状リブである環状リブＢ１８が設けられており、この環状リブＢ１８は環状リブＡ１７の外周に当接している。また、環状リブＢ１８のファンケーススペーサ８側の端部とファンケーススペーサ８との間には隙間１９が設けられている。さらに、ササエイタ１３には、ササエイタ１３からファンケース６側へ向かって延びるとともに、ファンケース６に当接する第３の環状リブである環状リブＣ２０が設けられている。
【００３９】
環状リブＢ１８のササエイタ１３側の端部には、曲面部１３ｂが設けられている。環状リブＡ１７は、環状リブＡ１７のササエイタ１３側の端部が曲面部１３ｂよりも下流側（電動送風機１側）に位置するように構成されている。
【００４０】
以上の構成における動作について説明すると、電動機２に電源が供給されると、インペラ４が電動機２により例えば３００００ｒ／ｍｉｎ以上の高速で回転駆動され、空気が吸込まれ、吸引風が発生する。この吸引風は、ササエイタ１３を経由してインペラ４の内部へと導かれ、その後、インペラ４の内部を通過し、インペラ４の外周から排出される。インペラ４の外周から排出された吸引風はエアガイド５により整流され、電動機２内部を通過した後、反負荷側ブラケット９の排気開口部１０から排出される。この時、金属製のインペラ４の吸込口部４ａとファンケーススペーサ８のベローズ部７とが接触しているため、ベローズ部７がインペラ４により削られ、接触摺動することにより、金属製のインペラ４の吸込口部４ａとファンケーススペーサ８のベローズ部７との気密性が保持されている。
【００４１】
ここで、フィルター１４で目詰まりが生じた際や隙間ノズル等のアタッチメントを使用した際、掃除機本体１２の集塵室１５内の真空度が高くなり、ササエイタ１３に電動送風機１方向の力がかかる。
【００４２】
しかし、本実施の形態の構成においては、ササエイタ１３には環状リブＣ２０が設けられており、ササエイタ１３は環状リブＣ２０により金属製のファンケース６に当接して位置決めされているため、ササエイタ１３にかかる電動送風機１方向の力は、環状リブＣ２０により吸収される。また、ササエイタ１３に設けられた環状リブＢ１８のファンケーススペーサ８側の端部とファンケーススペーサ８との間には隙間１９が設けられているため、ファンケーススペーサ８には直接力がかからない。
【００４３】
このため、ファンケーススペーサ８のベローズ部７がササエイタ１３によって電動送風機１内部に押し込まれることがなく、インペラ４の吸込口部４ａとファンケーススペーサ８のベローズ部７との気密性を保持することができ、高い吸い込み性能を維持することができる。
【００４４】
また、環状リブＡ１７と環状リブＢ１８との当接面に、粘度の比較的高いグリス等を塗布することにより、インペラ４の吸込口部４ａとファンケーススペーサ８のベローズ部７との気密性をさらに保持することができ、高い吸い込み性能を維持することができる。
【００４５】
（実施の形態２）
本発明の実施の形態２について、図２を用いて説明する。なお、上述した実施の形態１と重複する構成については、説明を省略する。
【００４６】
図２は、本発明の電気掃除機の実施の形態２における掃除機本体の部分断面図である。
【００４７】
図２に示すように、ファンケーススペーサ８には、ファンケーススペーサ８からササエイタ１３側へ向かって延びる第１の環状リブである環状リブＡ１７が設けられており、ササエイタ１３には、ササエイタ１３からファンケーススペーサ８側へ向かって延びる第２の環状リブである環状リブＢ１８が設けられている。環状リブＡ１７及び環状リブＢ１８は、環状リブＢ１８が環状リブＡ１７の内周に当接するように設けられている。また、環状リブＡ１７のササエイタ１３側の端部とササエイタ１３との間には隙間１９が設けられている。さらに、ササエイタ１３には、ササエイタ１３からファンケース６側へ向かって延びるとともに、ファンケース６に当接する第３の環状リブである環状リブＣ２０が設けられている。
【００４８】
以上の構成における動作について説明すると、電動機２に電源が供給されると、インペラ４が電動機２により例えば３００００ｒ／ｍｉｎ以上の高速で回転駆動され、空気が吸込まれ、吸引風が発生する。この吸引風は、ササエイタ１３を経由してインペラ４の内部へと導かれ、その後、インペラ４の内部を通過し、インペラ４の外周から排出される。インペラ４の外周から排出された吸引風はエアガイド５により整流され、電動機２内部を通過した後、反負荷側ブラケット９の排気開口部１０から排出される。この時、金属製のインペラ４の吸込口部４ａとファンケーススペーサ８のベローズ部７とが接触しているため、ベローズ部７がインペラ４により削られ、接触摺動することにより、金属製のインペラ４の吸込口部４ａとファンケーススペーサ８のベローズ部７との気密性が保持されている。
【００４９】
ここで、フィルター１４で目詰まりが生じた際や隙間ノズル等のアタッチメントを使用した際、掃除機本体１２の集塵室１５内の真空度が高くなり、ササエイタ１３に電動送風機１方向の力がかかる。
【００５０】
本実施の形態の構成においては、ササエイタ１３には環状リブＣ２０が設けられており、ササエイタ１３は環状リブＣ２０により金属製のファンケース６に当接して位置決めされているため、ササエイタ１３にかかる電動送風機１方向の力は、環状リブＣ２０により吸収される。また、ファンケーススペーサ８に設けられた環状リブＡ１７のササエイタ１３側の端部とササエイタ１３との間には隙間１９が設けられているため、ファンケーススペーサ８には直接力がかからない。
【００５１】
このため、ファンケーススペーサ８のベローズ部７がササエイタ１３によって電動送風機１内部に押し込まれることがなく、インペラ４の吸込口部４ａとファンケーススペーサ８のベローズ部７との気密性を保持することができ、高い吸い込み性能を維持することができる。
【００５２】
また、環状リブＡ１７と環状リブＢとの当接面に、粘度の比較的高いグリス等を塗布することにより、インペラ４の吸込口部４ａとファンケーススペーサ８のベローズ部７との気密性をさらに保持することができ、高い吸い込み性能を維持することができる。
【００５３】
（実施の形態３）
本発明の実施の形態３について、図３を用いて説明する。なお、上述した実施の形態１及び実施の形態２と重複する構成については、説明を省略する。
【００５４】
図３は、本発明の電気掃除機の実施の形態２における掃除機本体の部分断面図である。
【００５５】
図３に示すように、ファンケーススペーサ８には、ファンケーススペーサ８からササエイタ１３側へ向かって延びる複数の第１の環状リブである環状リブＡ１７及び環状リブＤ２２が設けられている。また、ササエイタ１３には、ササエイタ１３からファンケーススペーサ８側へ向かって延びる複数の第２の環状リブである環状リブＢ１８及び環状リブＥ２３が設けられている。さらに、環状リブＢ１８及び環状リブＥ２３のファンケーススペーサ８側の端部とファンケーススペーサ８との間、及び環状リブＤ２２のササエイタ１３側の端部とササエイタ１３との間には、それぞれ隙間１９が設けられている。そして、この環状リブＡ１７、環状リブＢ１８、環状リブＤ２２、及び環状リブＥ２３により、ラビリンス構造が形成されている。
【００５６】
ここで、ラビリンス構造とは、図３に示すように、環状リブＡ１７と環状リブＤ２２との間に環状リブＢ１８が入り込むとともに、環状リブＡ１７の外周と環状リブＢ１８の内周、環状リブＢ１８の外周と環状リブＤ２２の内周、環状リブＤ２２の外周と環状リブＥ２３の内周がそれぞれ当接する構造である。
【００５７】
以上の構成における動作について説明すると、環状リブＡ１７、環状リブＢ１８、環状リブＤ２２、及び環状リブＥ２３により、ラビリンス構造が形成されているため、ファンケーススペーサ８とササエイタ１３との間の気密性を向上させることができ、電動送風機の吸い込み性能をさらに向上させることができる。
【００５８】
また、環状リブＢ１８及び環状リブＥ２３のファンケーススペーサ８側の端部とファンケーススペーサ８との間、及び環状リブＤ２２のササエイタ１３側の端部とササエイタ１３との間には、それぞれ隙間１９が設けられているため、フィルター１４で目詰まりが生じた際や隙間ノズル等のアタッチメントを使用した際、掃除機本体１２の集塵室１５内の真空度が高くなり、ササエイタ１３に電動送風機１方向の力がかかった場合であっても、ファンケーススペーサ８には直接力がかからない。このため、ファンケーススペーサ８のベローズ部７がササエイタ１３によって電動送風機１内部に押し込まれることがなく、インペラ４の吸込口部４ａとファンケーススペーサ８のベローズ部７との気密性を保持することができ、高い吸い込み性能を維持することができる。
【００５９】
本実施の形態においては、環状リブＡ１７と環状リブＤ２２との間に環状リブＢ１８が入り込むとともに、環状リブＡ１７の外周と環状リブＢ１８の内周、環状リブＢ１８の外周と環状リブＤ２２の内周、環状リブＤ２２の外周と環状リブＥ２３の内周がそれぞれ当接する構成について説明したが、上述した実施の形態２に記載の構成と同様に、環状リブＢ１８が、環状リブＡ１７の内周に当接するように設けられていてもよい。
【００６０】
すなわち、環状リブＢ１８と環状リブＥ２３との間に環状リブＡ１７が入り込むとともに、環状リブＢ１８の外周と環状リブＡ１７の内周、環状リブＡ１７の外周と環状リブＥ２３の内周、環状リブＥ２３の外周と環状リブＤ２２の内周がそれぞれ当接する構成であってもよい。
【産業上の利用可能性】
【００６１】
本発明の電気掃除機は、簡単な構成でインペラの吸込口部とファンケーススペーサのベローズ部との気密性を保持することができ、高い吸い込み性能を維持できるため、電動送風機を用いる家庭用電化機器及び産業機器の分野・用途に好適に適用することができる。
【符号の説明】
【００６２】
１  電動送風機
２  電動機
３  回転軸
４  インペラ
４ａ  吸込口部
５  エアガイド
６  ファンケース
７  ベローズ部
８  ファンケーススペーサ
９  反負荷側ブラケット
１０  排気開口部
１１  サポートゴム
１２  掃除機本体
１３  ササエイタ
１３ａ  中央部
１３ｂ  曲面部
１４  フィルター
１５  集塵室
１７  環状リブＡ
１８  環状リブＢ
１９  隙間
２０  環状リブＣ
２１  電動送風機室
２２  環状リブＤ
２３  環状リブＥ
【図１】
2012019914.tif 000003
【図２】
2012019914.tif 000004
【図３】
2012019914.tif 000005
【図４】
2012019914.tif 000006
【図５】
2012019914.tif 000007